(57)【要約】【課題】自動ドアの駆動装置を収納する収納体に開口された点検口を容易に開閉するための自動ドア点検口カバーの開閉機構を提供する。【解決手段】自動ドアの駆動装置３を収納する収納体４に開口された点検口５を開閉するための点検口カバー６の開閉機構１であり、点検口カバー６の開閉機構１は、点検口５上端近傍の収納体４に設けられ、点検口カバー６の上端部を揺動自在に枢支する枢支部７と、点検口カバー６を開放する方向に付勢するスプリング８と、点検口カバー６を閉じた状態に保持自在の係止部９とを備えている。係止部９は、基端部が収納体４の下端部に固着され、収納体４の下方に露出するように点検口５側に水平方向に延びて取付けられる撓曲自在の弾性板２１と、弾性板２１の先端部に、突出させて形成した突出部２２とからなり、突出部２２は、弾性板２１を下方に切り起こして形成した切り起こし片から成る。【選択図】図２
0003152444.tif 000002
【実用新案登録請求の範囲】
【請求項１】
自動ドアの駆動装置を収納する収納体に開口された点検口を開閉するための点検口カバーの開閉機構であって、
前記点検口上端近傍の収納体に設けられ、前記点検口カバーの上端部を揺動自在に枢支する枢支部と、
前記点検口カバーを開放する方向に付勢する付勢部と、
前記点検口カバーを閉じた状態に保持自在の係止部とを備えたことを特徴とする自動ドア点検口カバーの開閉機構。
【請求項２】
前記付勢部は、スプリングであることを特徴とする請求項１記載の自動ドア点検口カバーの開閉機構。
【請求項３】
前記係止部は、撓曲自在の弾性板と、前記弾性板の先端部に、突出させて形成した突出部とからなることを特徴とする請求項２記載の自動ドア点検口カバーの開閉機構。
【請求項４】
前記突出部は、前記弾性板を切り起こして形成した切り起こし片から成る斜め形状に突出する突起であることを特徴とする請求項３記載の自動ドア点検口カバーの開閉機構。
【請求項５】
前記弾性板は、前記収納体の下端部に固着され、前記弾性板の先端部に前記スプリングが配設されていることを特徴とする請求項３又は４記載の自動ドア点検口カバーの開閉機構。
【請求項６】
前記係止部は、先端側に配置される先端板と、基端側に配置される基端板と、前記先端板と基端板とを接続し、前記基端板に対し前記先端板を付勢状態で平行姿勢から１８０度回転自在に接続するスプリング蝶番と、前記先端板の先端部に、突出させて形成した突出部とからなることを特徴とする請求項１記載の自動ドア点検口カバーの開閉機構。
【請求項７】
前記突出部は、前記先端板を切り起こして形成した切り起こし片から成る斜め形状に突出する突起であることを特徴とする請求項６記載の自動ドア点検口カバーの開閉機構。
【請求項８】
前記付勢部は、スプリングと、該スプリングを固着するスプリング固着板であることを特徴とする請求項６又は７記載の自動ドア点検口カバーの開閉機構。
【請求項９】
前記基端板と、前記スプリング固着板とは、前記収納体の下端部に固着されるブラケットに固着されることを特徴とする請求項８記載の自動ドア点検口カバーの開閉機構。
【請求項１０】
前記点検口カバーの下端部に、前記係止部に係合させるため、先端を鉤状に折曲して形成された係合部が形成されていることを特徴とする請求項１乃至９のうちいずれか一に記載の自動ドア点検口カバーの開閉機構。
【請求項１１】
前記収納体に、前記点検口カバーを開いた状態で保持するためのステーが設けられていることを特徴とする請求項１乃至１０のうちいずれか一に記載の自動ドア点検口カバーの開閉機構。
【請求項１２】
前記ステーは、前記収納体の前記枢支部下方に水平方向に揺動自在に設けられていることを特徴とする請求項１１記載の自動ドア点検口カバーの開閉機構。
【考案の詳細な説明】
【技術分野】
【０００１】
本考案は、自動ドアの駆動装置を収納する収納体に開口された点検口を容易に開閉するための自動ドア点検口カバーの開閉機構に関する。
【背景技術】
【０００２】
従来、自動ドアの駆動装置を収納する収納体に開口された点検口を開閉するための点検口カバーは、ビス止めによって固定されていた。
そのため、点検作業時に点検口カバーを開く時、点検口カバーを手で押えながらビスを外す作業が発生し、点検口カバーを閉じる時、点検口カバーを手で押えながらビスを留める作業が発生し、これらの作業は煩雑であると共に、作業者の他に点検口カバーを支える補助者を必要とする等の問題があり、更に、ビスの落下の虞がある等の問題があった。
【０００３】
そこで、前述の問題を解決すべく、例えば、特許文献１には、自動ドアの点検口カバーを開放状態に保持するため、カバーを弾性的に圧接する長尺体が記載されている。
【先行技術文献】
【特許文献】
【０００４】
【特許文献１】特開２００２−３３９６３１号公報
【考案の概要】
【考案が解決しようとする課題】
【０００５】
前述したように、自動ドアの駆動装置を収納する収納体に開口された点検口を開閉するための点検口カバーは、ビス止めによって固定されていたため、種々の問題があった。
又、特許文献１は、点検口カバーを開放状態に保持することができるが、長尺体を取付け、取外す煩雑さがあり、更に、点検口カバーを開く時や点検口カバーを閉じる時の作業性の容易化については言及されていない。
【０００６】
以上の現状に鑑み、本考案は、自動ドアの駆動装置を収納する収納体に開口された点検口を容易に開閉するための自動ドア点検口カバーの開閉機構を提供することを目的とする。
又、本考案は、自動ドアの駆動装置を収納する収納体に開口された点検口を開閉するための点検口カバーを容易に開放状態に保持することができる自動ドア点検口カバーの開閉機構を提供することを目的とする。
【課題を解決するための手段】
【０００７】
上記の課題を解決すべく、本考案は以下の構成を提供する。
請求項１に係る考案は、自動ドアの駆動装置を収納する収納体に開口された点検口を開閉するための点検口カバーの開閉機構であって、
前記点検口上端近傍の収納体に設けられ、前記点検口カバーの上端部を揺動自在に枢支する枢支部と、
前記点検口カバーを開放する方向に付勢する付勢部と、
前記点検口カバーを閉じた状態に保持自在の係止部とを備えたことを特徴とする自動ドア点検口カバーの開閉機構を提供するものである。
【０００８】
請求項２に係る考案は、前記付勢部は、スプリングであることを特徴とする請求項１記載の自動ドア点検口カバーの開閉機構を提供するものである。
【０００９】
請求項３に係る考案は、前記係止部は、撓曲自在の弾性板と、前記弾性板の先端部に、突出させて形成した突出部とからなることを特徴とする請求項２記載の自動ドア点検口カバーの開閉機構を提供するものである。
【００１０】
請求項４に係る考案は、前記突出部は、前記弾性板を切り起こして形成した切り起こし片から成る斜め形状に突出する突起であることを特徴とする請求項３記載の自動ドア点検口カバーの開閉機構を提供するものである。
【００１１】
請求項５に係る考案は、前記弾性板は、前記収納体の下端部に固着され、前記弾性板の先端部に前記スプリングが配設されていることを特徴とする請求項３又は４記載の自動ドア点検口カバーの開閉機構を提供するものである。
【００１２】
請求項６に係る考案は、前記係止部は、先端側に配置される先端板と、基端側に配置される基端板と、前記先端板と基端板とを接続し、前記基端板に対し前記先端板を付勢状態で平行姿勢から所定角度まで回転自在に接続するスプリング蝶番と、前記先端板の先端部に、突出させて形成した突出部とからなることを特徴とする請求項１記載の自動ドア点検口カバーの開閉機構を提供するものである。
【００１３】
請求項７に係る考案は、前記突出部は、前記先端板を切り起こして形成した切り起こし片から成る斜め形状に突出する突起であることを特徴とする請求項６記載の自動ドア点検口カバーの開閉機構を提供するものである。
【００１４】
請求項８に係る考案は、前記付勢部は、スプリングと、該スプリングを固着するスプリング固着板であることを特徴とする請求項６又は７記載の自動ドア点検口カバーの開閉機構を提供するものである。
【００１５】
請求項９に係る考案は、前記基端板と、前記スプリング固着板とは、前記収納体の下端部に固着されるブラケットに固着されることを特徴とする請求項８記載の自動ドア点検口カバーの開閉機構を提供するものである。
【００１６】
請求項１０に係る考案は、前記点検口カバーの下端部に、前記係止部に係合させるため、先端を鉤状に折曲して形成された係合部が形成されていることを特徴とする請求項１乃至９のうちいずれか一に記載の自動ドア点検口カバーの開閉機構を提供するものである。
【００１７】
請求項１１に係る考案は、前記収納体に、前記点検口カバーを開いた状態で保持するためのステーが設けられていることを特徴とする請求項１乃至１０のうちいずれか一に記載の自動ドア点検口カバーの開閉機構を提供するものである。
【００１８】
請求項１２に係る考案は、前記ステーは、前記収納体の前記枢支部下方に水平方向に揺動自在に設けられていることを特徴とする請求項１１記載の自動ドア点検口カバーの開閉機構を提供するものである。
【考案の効果】
【００１９】
本考案の請求項１記載の考案によれば、自動ドアの駆動装置を収納する収納体に開口された点検口を容易に開閉するための自動ドア点検口カバーの開閉機構を提供することができる。
又、従来の点検作業時に点検口カバーを開く時、点検口カバーを手で押えながらビスを外す作業や、点検口カバーを閉じる時、点検口カバーを手で押えながらビスを留める作業を無くすことができると共に、工具が不要となり、且つ、点検口カバーを支える補助者も不要となり、更に、ビスの落下の虞もない。
更に、点検口カバーを閉じた状態に保持する係止部の係合が外れた時、付勢部によって、点検口カバーを開方向に付勢し、係合状態に戻らないようにすることができる。
又、点検口カバーが閉じた状態に保持された時、付勢部によって、点検口カバーを付勢し、点検口カバーの保持状態を安定させることができる。
【００２０】
請求項２記載の考案によれば、請求項１記載の考案の効果に加え、付勢部が、スプリングであるので、構成が簡素である。
【００２１】
請求項３記載の考案によれば、請求項２記載の考案の効果に加え、係止部は、撓曲自在の弾性板と、弾性板の先端部に、突出させて形成した突出部とからなるので、弾性板を撓曲させることにより、容易に突出部の係合を外すことができる。又、弾性板が撓曲することにより、突出部への係合が容易になる。
【００２２】
請求項４記載の考案によれば、請求項３記載の考案の効果に加え、突出部は、弾性板を切り起こして形成した切り起こし片から成る斜め形状に突出する突起であるので、突出部の製作が容易であると共に、斜め形状に突出する突起であることにより、係合部の係合が容易である。
【００２３】
請求項５記載の考案によれば、請求項３又は４記載の考案の効果に加え、弾性板は、収納体の下端部に固着され、弾性板の先端部にスプリングが配設されているので、付勢部と係止部を一体にして作業性を向上させることができる。
【００２４】
請求項６記載の考案によれば、請求項１記載の考案の効果に加え、既設の自動ドア点検口に容易に係止部を設けることができる。
【００２５】
請求項７記載の考案によれば、請求項６記載の考案の効果に加え、突出部は、先端板を切り起こして形成した切り起こし片から成る斜め形状に突出する突起であるので、突出部の製作が容易であると共に、斜め形状に突出する突起であることにより、係合部の係合が容易である。
【００２６】
請求項８記載の考案によれば、請求項６又は７記載の考案の効果に加え、付勢部は、スプリングと、スプリングを固着するスプリング固着板であるので、既設の自動ドア点検口に付勢部を容易に設けることができる。
【００２７】
請求項９記載の考案によれば、請求項８記載の考案の効果に加え、基端板と、スプリング固着板とは、収納体の下端部に固着されるブラケットに固着されるので、係止部と付勢部とがブラケットを介して一体になり、ブラケットを収納体に取付けることにより係止部と付勢部とを容易に収納体に取り付け可能となり、作業性が向上する。
【００２８】
請求項１０記載の考案によれば、請求項１乃至９のうちいずれか一に記載の考案の効果に加え、点検口カバーの下端部に、先端を鉤状に折曲して形成された係合部が形成されているので、係合部を係止部に係合させることができると共に、前記係合部の製作も容易である。
【００２９】
請求項１１記載の考案によれば、請求項１乃至１０のうちいずれか一に記載の考案の効果に加え、ステーにより点検口カバーを開いた状態で保持することができる。
【００３０】
請求項１２記載の考案によれば、請求項１１記載の考案の効果に加え、ステーは、収納体の枢支部下方に水平方向に揺動自在に設けられているので、ステーを揺動させることにより、自動ドア点検口カバーを容易に開放状態に保持することができ、又、ステーを収納することもできる。
【図面の簡単な説明】
【００３１】
【図１】（ａ）自動ドア取付状態の正面図である。（ｂ）Ａ−Ａ線断面図である。
【図２】自動ドアの駆動装置を収納する収納体と、収納体に取付けられた本考案の実施例１に係る自動ドア点検口カバーの開閉機構の拡大側面縦断面図である。
【図３】（ａ）本考案の実施例１に係る下部開閉機構の斜め上方から見た斜視図である。（ｂ）本考案の実施例１に係る下部開閉機構の斜め下方から見た斜視図である。
【図４】本考案の実施例１に係る自動ドア点検口カバーの開閉機構の一部平面断面図である。
【図５】（ａ）本考案の実施例１に係る自動ドア点検口カバーの開閉機構の閉状態を示す側面縦断面図である。（ｂ）本考案の実施例１に係る自動ドア点検口カバーの開閉機構の弾性板を押した状態を示す側面縦断面図である。（ｃ）本考案の実施例１に係る自動ドア点検口カバーの下部開閉機構が外れ、ドア点検口カバーが少し開いた状態を示す側面縦断面図である。
【図６】（ａ）本考案の実施例１に係る自動ドア点検口カバーの開閉機構を構成するステーが収納された状態を示す側面縦断面図である。（ｂ）本考案の実施例１に係る自動ドア点検口カバーの開閉機構を構成するステーが揺動されて開き、点検口カバーを支えた状態を示す側面縦断面図である。
【図７】（ａ）本考案の実施例１に係るステーの斜視図である。（ｂ）Ｂ−Ｂ線断面で見た、本考案の実施例１に係るステーの揺動運動を説明する平面図である。
【図８】（ａ）両開き自動ドアの点検口を開閉する一枚の点検口カバーに対し、本考案の実施例１に係る自動ドア点検口カバーの下部開閉機構の取付け状態を示す正面図である。（ｂ）両開き自動ドアの点検口を開閉する二枚の点検口カバーに対し、本考案の実施例１に係る自動ドア点検口カバーの下部開閉機構の取付け状態を示す正面図である。（ｃ）片開き自動ドアの点検口を開閉する一枚の点検口カバーに対し、本考案の実施例１に係る自動ドア点検口カバーの下部開閉機構の取付け状態を示す正面図である。
【図９】本考案の実施例２に係る下部開閉機構の斜め下方から見た斜視図である。
【図１０】（ａ）本考案の実施例２に係る自動ドア点検口カバーの開閉機構の閉状態を示す側面縦断面図である。（ｂ）本考案の実施例２に係る自動ドア点検口カバーの開閉機構の先端板を押した状態を示す側面縦断面図である。（ｃ）本考案の実施例２に係る自動ドア点検口カバーの下部開閉機構が外れ、ドア点検口カバーが少し開いた状態を示す側面縦断面図である。
【考案を実施するための形態】
【００３２】
以下、実施例を示した図面を参照しつつ本考案の実施の形態を説明する。
【実施例１】
【００３３】
図１及び２に於いて、１は、自動ドア２の駆動装置３を収納する収納体４に開口された点検口５を開閉するための本考案の実施例１の点検口カバーの開閉機構であり、点検口カバーの開閉機構１は、点検口５上端近傍の収納体４に設けられ、点検口カバー６の上端部を揺動自在に枢支する枢支部７と、点検口カバー６を開放する方向に付勢する付勢部であるスプリング８と、点検口カバー６を閉じた状態に保持自在の係止部９とを備えている。
尚、前記枢支部７は、上部開閉機構を構成し、前記スプリング８と、係止部９とは下部開閉機構１０を構成する。
【００３４】
そして、前記係止部９は、図２及び図３に示す如く、基端部が収納体４の下端部に固着され、収納体４の下方に露出するように点検口５側に水平方向に延びて取付けられる撓曲自在の弾性板２１と、弾性板２１の先端部に、突出させて形成した突出部２２とからなり、突出部２２は、弾性板２１を下方に基端側から先端方向に向かって切り起こして形成した切り起こし片から成る斜め形状に突出する突起として形成されている。従って、突出部２２は、先端側から基端側に向かって漸次下方に突出するように形成されている。
【００３５】
更に、前記弾性板２１の先端部にスプリング８が配設されている。詳細には、弾性板２１の先端上部にスプリング８の固着部２３が設けられ、固着部２３は、弾性板２１の先端を同巾で立ち上げると共に中央部から上方端まで切欠した先端起立板２３ａと、先端起立板２３ａの左右端近傍に接続されると共に弾性板２１から平面視コ字状に起立したスプリング取付け板２３ｂとからなり、スプリング８は、後部がスプリング取付け板２３ｂ内に収納され、後端がスプリング取付け板２３ｂに固着され、先端部が先端起立板２３ａから先方へ突出するように配置される。
そして、先端起立板２３ａの前面にはスポンジ等の緩衝材２４が取付けられている。
一方、前記点検口カバー６の下端部には、前記係止部９の突出部２２に係合させるため、先端を鉤状に折曲して形成された係合部２５が形成されている。
【００３６】
而して、前記点検口カバー６の開閉方法を図５に従って説明すると、まず、同図（ａ）に示す如く、点検口カバー６が閉じた状態、即ち、係合部２５と突出部２２とが係合し、スプリング８が点検口カバー６によって押され収縮した状態で、同図（ｂ）の矢印に示す如く弾性板２１を上方に押圧すると、押された部分の弾性板２１が上方に変形し、それに伴い、点検口カバー６の係合部２５と突出部２２の係合が外れ、点検口カバー６は同図（ｃ）に示す如くスプリング８の付勢により開く方向に揺動する。
これにより、点検口カバー６の下端を把持し、点検口カバー６を枢支部７を回転中心として図に於いて反時計回りに回転させると点検口カバー６を開くことができる。尚、点検口カバー６を開いた状態に保持する方法については後述する。
【００３７】
次に、点検口カバー６を再度閉じる場合は、点検口カバー６を開いた状態から時計回りに回転させて同図（ｃ）に示す如く点検口カバー６を降ろし、点検口カバー６の下端部を収納体４側に押し付けると、点検口カバー６の係合部２５が突出部２２の切り起こし片の斜面を摺動することにより、弾性板２１の反力に抗して弾性板２１の先端部及び突出部２２を押し上げながら、同図（ａ）に示す如く、最終的に係合部２５が突出部２２に係合し、点検口カバー６が閉じた状態となる。この時、スプリング８が点検口カバー６によって押され収縮した状態となり、逆に、点検口カバー６は、スプリング８に付勢されて閉じた状態で安定する。
【００３８】
図６及び図７に於いて、３１は、点検口カバー６を開いた状態に保持するために、収納体４の前記枢支部７下方に水平方向に揺動自在に設けられているＵ字鋼から成るステーを示している。
ステー３１は、水平バー３１ａと、水平バー３１ａの基端部に垂直に設けられる水平バー３１ａより短く形成された垂直バー３１ｂとから成り、水平バー３１ａの垂直バー３１ｂ取り付け位置よりやや中央よりに収納体４に枢支されて揺動するための揺動孔３２が開穿されている。
【００３９】
而して、ステー３１の使用方法について説明すると、ステー３１は、点検口カバー６が閉じた状態に於いては点検口カバー６と平行方向に収納体４内に収納され、点検口カバー６が完全に開かれた状態で、図６（ｂ）及び図７（ｂ）の二点鎖線に示す如くステー３１の水平バー３１ａを点検口カバー６に対して直角方向になるように水平方向に揺動させて点検口カバー６を降ろすと、点検口カバー６が、ステー３１上に載置されて開放状態に保持される。この時、水平バー３１ａの先端側に点検口カバー６の重みがかかるが、垂直バー３１ｂの上端が収納体４の天板に接触し、その反力を受けることにより、水平バー３１ａのバランスが保たれる。
【００４０】
次に、点検口カバー６を閉じる場合は、点検口カバー６を少し上に上げて点検口カバー６をステー３１から離し、ステー３１の水平バー３１ａを水平方向に揺動させて、収納体４内に収納すれば、点検口カバー６は閉じる方向｛図６（ｂ）に於いて時計回り｝に揺動させることができる。
【００４１】
図８は、前記下部開閉機構１０及びステー３１の各種自動ドアに於ける取り付け場所を示したものであり、同図（ａ）は、両開き自動ドアの点検口を開閉する一枚の点検口カバー６が配設されたものに対し、点検口カバー６の中央下端部及び左右下端部に対応する位置に夫々下部開閉機構１０が設けられ、点検口カバー６の中央上端部にステー３１が配設された例を示している。
同図（ｂ）は、両開き自動ドアの点検口を開閉する２枚の点検口カバー６，６が配設されたものに対し、夫々の点検口カバー６の中央下端部及び左右下端部に対応する位置に夫々下部開閉機構１０が設けられ、点検口カバー６の中央上端部にステー３１が配設された例を示している。
同図（ｃ）は、片開き自動ドアの点検口を開閉する一枚の点検口カバー６が配設されたものに対し、点検口カバー６の左右下端部に対応する位置に夫々下部開閉機構１０が設けられ、点検口カバー６の中央上端部にステー３１が配設された例を示している。
このように、本考案の点検口カバーの開閉機構１の下部開閉機構１０及びステー３１は、各種自動ドアの点検口カバー６に対応させて取り付けることができる。
【実施例２】
【００４２】
本考案の実施例２は、前記点検口カバーの開閉機構（図１に於いて１）の下部開閉機構（図１に於いて１０）に代えて、図９及び図１０に示す異なる構成の下部開閉機構４１を設けたものである。
下部開閉機構４１は、主として既設の自動ドア点検口カバーに後付けで取付けるためのものであり、係合部２５に係合させる係止部４２と、点検口カバー６を付勢する付勢部４３と、係止部４２及び付勢部４３を一体にして収納体４に取付けるブラケット４４とから構成される。
そして、係止部４２は、先端側に配置される先端板４５と、基端側に配置される基端板４６と、先端板４５と基端板４６とを接続し、基端板４６に対し先端板４５を付勢状態で平行姿勢から１８０度回転自在に接続するスプリング蝶番４７と、先端板４５の先端部に、突出させて形成した突出部４８とからなり、突出部４８は、先端板４５を下方に基端側から先端方向に向かって切り起こして形成した切り起こし片から成る斜め形状に突出する突起として形成されている。従って、突出部４８は、先端側から基端側に向かって漸次下方に突出するように形成されている。
更に、前記先端板４５と、突出部４８は、収納体４の下面から下方に露出するように取付けられる。
又、スプリング蝶番４７は、外力がかからない場合は、基端板４６に対し先端板４５を付勢状態で平行姿勢に保持する。
【００４３】
そして、前記付勢部４３は、スプリング４９と、スプリング４９を固着するスプリング固着板５０から構成され、スプリング固着板５０は、長板５１と、長板５１の先端部に設けられるスプリング４９の固着部５２とから成り、スプリング４９は、前記スプリング（図２に於いて８）と同様のものが使用され、固着部５２は前記固着部（図３に於いて２３）と同様に構成されている。
又、前記ブラケット４４は所定長さを有するＵ字鋼で形成され、両側部が上下位置になるように水平状態に置いたブラケット４４の上側部にスプリング固着板５０を固着し、下側部に基端板４６を固着して係止部４２と付勢部４３とを一体に固着し、ブラケット４４の垂直方向を向いた底部が収納体４の垂直壁下端部或いはブラケット４４を固着するために収納体４の下端部に設けられた垂直状に起立する垂直部に固着される。
【００４４】
而して、実施例２の下部開閉機構４１による点検口カバー６の開閉方法を図１０に従って説明すると、まず、同図（ａ）に示す如く、点検口カバー６が閉じた状態、即ち、係合部２５と突出部４８とが係合し、スプリング４９が点検口カバー６によって押され収縮した状態で、同図（ｂ）の矢印に示す如く先端板４５を上方に押圧すると、押された先端板４５がスプリング蝶番４７の反力に抗して上方に変形し、それに伴い、点検口カバー６の係合部２５と突出部４８の係合が外れ、点検口カバー６は同図（ｃ）に示す如くスプリング４９の付勢により開く方向に揺動する。
これにより、点検口カバー６の下端を把持し、点検口カバー６を枢支部７回りに図に於いて反時計回りに回転させると点検口カバー６を開くことができる。尚、点検口カバー６を開いた状態に保持する方法については前述のステー３１の説明と同じであり、ここでは説明を省略する。
【００４５】
次に、点検口カバー６を再度閉じる場合は、点検口カバー６を開いた状態から枢支部７回りに時計回りに回転させて同図（ｃ）に示す如く点検口カバー６を降ろし、点検口カバー６の下端部を収納体４側に押し付けると、点検口カバー６の係合部２５が突出部４８の切り起こし片の斜面を摺動することにより、スプリング蝶番４７の反力に抗して先端板４５の先端部及び突出部４８を押し上げながら、最終的に係合部２５が突出部４８に係合し、同図（ａ）に示す如く点検口カバー６が閉じた状態となる。この時、スプリング４９が点検口カバー６によって押され収縮した状態となり、逆に、点検口カバー６は、スプリング４９に付勢されて閉じた状態で安定する。
【符号の説明】
【００４６】
１  点検口カバーの開閉機構
２  自動ドア
３  駆動装置
４  収納体
５  点検口
６  点検口カバー
７  枢支部
８，４９  スプリング
９，４２  係止部
２１  弾性板
２２，４８  突出部
２５  係合部
３１  ステー
４３  付勢部
４４  ブラケット
４５  先端板
４６  基端板
４７  スプリング蝶番
５０  スプリング固着板
【図１】
0003152444.tif 000003
【図２】
0003152444.tif 000004
【図３】
0003152444.tif 000005
【図４】
0003152444.tif 000006
【図５】
0003152444.tif 000007
【図６】
0003152444.tif 000008
【図７】
0003152444.tif 000009
【図８】
0003152444.tif 000010
【図９】
0003152444.tif 000011
【図１０】
0003152444.tif 000012